(57)【特許請求の範囲】
【請求項１】
柄の先端に一端側を柄に止着し、他端側を開放端部としたループ状の糸掛部を設けた根がかり外し器において、前記糸掛部のル−プ部の所定量を上下方向に重ね合わせ、糸掛部の開放端は糸掛部のループ部の外方へ突出していることを特徴とする根がかり外し器。
【発明の詳細な説明】
【０００１】
【発明の属する技術分野】
この発明は、根がかり外し器の改良に関する。
【０００２】
【従来の技術】
従来鮎釣り等で使用される根がかり外しには、例えば実開平４−127179号公報の従来図12のように、柄１′の先端にル−プ状に形成した糸掛部３″の一側3gを固定し、糸掛部３″の他側は鈎状に屈曲させて鈎状屈曲部3hを一側3gに引っ掛けるように構成されている。
前記従来の根がかり外しが使用される時は、図12（ｂ）のように鈎状屈曲部3hを糸掛部３″の一側3gから外して糸掛部３″のル−プ部内に釣糸を通し、外れ防止のために再度図12（ａ）のように鈎状屈曲部3hを糸掛部３″の一側3gに引っ掛け、柄１′の先端を伸ばして糸掛部３″をおとり鮎をくぐらせた後根がかりを外すことになる。
前記のように鈎状屈曲部を糸掛部の一側から外したり、鈎状屈曲部を糸掛部の一側に引っ掛ける作業は、両手で行うことになり、鮎釣りのように常時竿を両手で持ち川に立ちこんで行う釣には、煩わしいものであった。
又、実開昭61−28369 号にはループを径方向に重ねてうず巻き状に形成した糸掛部を有する根がかり外し器が紹介されている。
しかし、根掛かりを外そうとする前後動でループ部内から糸が外れやすかった。
【０００３】
【発明が解決しようとする課題】
解決しようとする問題点は、鈎状屈曲部を糸掛部の一側から一旦外し、糸掛部のル−プ内に釣糸を通した後、再び鈎状屈曲部を糸掛部の一側に引っ掛ける作業は、両手で行わなければならず、常時竿を持ち川に立ちこんで行う釣には、煩わしいことである。
さらに、うず巻き状の糸掛部では根掛かりを外そうと根がかり外し器を前後動させると糸がループ部内から外れやすいことである。
【０００４】
本発明の目的は前記欠点に鑑み、糸掛部のル−プ部内に釣糸を通す時、容易に操作できて、通した糸はル−プ部内から外れ難い根がかり外し器を提供することである。
【０００５】
【課題を解決するための手段】
前記課題を解決するために、請求項１に係る発明は、柄の先端に一端側を柄に止着し他端側を開放端部としたループ状の糸掛部を設けた根がかり外し器において、前記糸掛部のル−プ部の所定量を上下方向に重ね合わせ、糸掛部の開放端が糸掛部のループ部の外方へ突出していることを要旨とするものである。
【０００６】
【発明の実施の形態】
請求項１の本発明により、片手で容易に糸掛部３のル−プ部3b内に釣糸10を通すことができるため、根がかりを外すことが容易となる。片手で糸掛部３のル−プ部3bと重なり合ったル−プの重ね部3cとの隙間から釣糸10を挿通して容易に糸掛部３のル−プ部3b内に釣糸10を導入することが可能である。隙間から釣糸10を導入するため釣糸を傷付けることもない。
ル−プ部3bの中に一旦釣糸10を通すと、掛け針12をル−プ部3bから外すまで外れることがないので、根がかり外し器Ａの操作が容易になる。
【０００７】
【実施例】
以下、図示の実施例によって本発明を説明すると、図１から図３は第１実施例で、図１は根がかり外し器の平面図、図２は根がかり外し器の側面図、図３は釣り場で根がかり外し器が使用される説明図、図４は従来の根がかり外し器の平面図である。
【０００８】
根がかり外し器Ａは柄１の先端の竿管２に糸掛部３が固定されている。柄１は複数本の竿管２、４〜７で振り出し式に伸縮自在に構成されている。
糸掛部３はアルミ、ステンレス等の金属線材で接続部3aとル−プ部3bとル−プの重ね部3cと開放端部3dでル−プの所定量αが上下方向に重ね合わされるように形成されている。
使用される釣竿８には釣糸10が取り付けられ、釣糸10に囮鮎11が取り付けられると共に釣糸10の先端に掛け針12が取り付けられている。
ル−プ部3bとル−プの重ね部3cの隙間は釣糸10が挿通可能な間隔に保たれ、例えば５ｍｍ以内にするとル−プ部3bから釣糸10が外れ難くなり、根かかり外し操作がやり易くなる。
ル−プ部3bとル−プの重ね部3cの隙間は、重なり初めから開放端部3dにかけて同じ間隔を持つように形成されている。
ル−プ部3bの内径は囮鮎11が自在に挿通可能な寸法に形成されている。
【０００９】
根がかり外し器Ａの糸掛部３のル−プ部3bの中に釣糸10が挿入される時は、掛け針12が根がかりした状態で釣竿８と柄１を握り、糸掛部３の接続部3aに釣糸10を当て、柄１を手前に引くことでル−プ部3bとル−プの重ね部3cの間に釣糸10を通すと共に更に柄１を引いてル−プの重ね部3cの開放端部3dから釣糸10を外し、糸掛部３を回動することでル−プ部3bの中に釣糸10を通す。
次に糸掛部３を釣糸10に沿って下降させてル−プ部3bの中に囮鮎11を通すと共に、ル−プ部3bを掛け針12に当てて押し下げたり、引くことで根がかりを外すことが出来る。
ル−プ部3bの中に一旦釣糸10を通すと、ループが上下に方向に重ね合わされているため柄１の周方向に糸掛部３を回動して釣糸10がループ部3bとループの重ね部3cの隙間に通るように開放端部3dを釣糸10に合わせてから押し下げ又は引くことで掛け針12をル−プ部3bから外すまで外れることがないので、根がかり外し器Ａの操作が容易になる。
【００１０】
ル−プの重ね部3cはル−プ部3bの同じ周上に沿ってル−プ部3bと合致する形状で重なっており、重なりは半周以内にして開放端部3dを先端側に向けてあるので、釣糸10をル−プ部3bに挿通し易い。
このことから根がかり外し器Ａの糸掛部３のル−プ部3bの中に釣糸10が挿入される時、釣糸10に糸掛部３のル−プ部3bを載せて柄１を前方に押してル−プ部3bと開放端部3dの間から釣糸10をル−プの重ね部3cを通して接続部3aまで押し込み、糸掛部３を回動することでル−プ部3bの中に釣糸10を通すことができる。糸掛部３の金属線材は断面円形状をしており、開放端部3dは先細りになる丸みをもって形成されていると釣糸10が傷付難い。
【００１１】
前記のように根がかり外し器が構成されると、両手のふさがる鮎釣でも片手で容易に糸掛部３のル−プ部3b内に釣糸10を通すことができるため、根がかりを外すことが容易となる。片手で糸掛部３のル−プ部3bと重なり合ったル−プの重ね部3cとの隙間から釣糸10を挿通して容易に糸掛部３のル−プ部3b内に釣糸10を導入することが可能である。隙間から釣糸10を導入するため釣糸を傷付けることもない。
ル−プ部3bの中に一旦釣糸10を通すと、通した糸はル−プ部3b内から外れ難くいので、根がかり外し器Ａの操作が容易になる。
【００１２】
根がかり外し器Ａの糸掛部３のループ部3bはその開放端部3dがループ部3bの外方へ突出する突出部3eを有している。この突出部3eはループ部3bの開放端部3dが屈曲されて形成される。このように突出部3eを設けるとループ部3dの中に通された釣糸10が突出部3eに当接してループ部3bとループの重ね部3cの隙間への入り込みが阻止されるため釣糸10がループ部3bから外れにくい。
【００１３】
前記説明では、ル−プ部3bを真円形状としたが、ル−プ部3bは挿通した釣糸10が外れないようにル−プが閉じられていれば円形状でなくとも良い。
前記説明のル−プ部3bと重なり合ったル−プの重ね部3cとは接触しないように近接していることが好ましいが、両者が接触していても釣糸10を差し込むことで糸掛部３、３′の可撓性によって間隙が生じるような構造としても良い。
【００１４】
【発明の効果】
本発明は、以上説明したような形態で実施され、以下に記載されるような効果を奏する。
【００１５】
容易に糸掛部のル−プ部内に釣糸を通すことができ、ル−プ部の中に一旦釣糸を通すと、通した糸はル−プ部内から外れ難く、また、ループ部の中に通した釣糸が突出部に当接してループ部からの外れが一層阻止されるため根がかり外し器の操作が容易になる。
【図面の簡単な説明】
【図１】第１実施例で、根がかり外し器の平面図である。
【図２】同根がかり外し器の側面図である。
【図３】釣り場で根がかり外し器が使用される説明図である。
【図４】従来の根がかり外し器の平面図である。
【符号の説明】
Ａ  根がかり外し器
α  所定量
１  柄
３、３′  糸掛部
3a  接続部
3b  ル−プ部
3c  ル−プの重ね部
【図１】
0003558255.tif 000002
【図２】
0003558255.tif 000003
【図３】
0003558255.tif 000004
【図４】
0003558255.tif 000005